(57)【要約】【課題】停電状態にあるときに蓄冷剤による貯蔵物の冷却を容易に行うことが可能な冷却貯蔵庫を提供する。【解決手段】外部電源Ｅから電力が供給される冷却貯蔵庫１０であって、冷却装置が蓄冷剤室２４に収納された蓄冷剤３０を冷却状態とし、かつ蓄冷剤室２４の冷気を貯蔵室３３に送出して貯蔵物を冷却するようにしたものにおいて、外部電源Ｅに代わって貯蔵室冷却ファン２８を動作させる電力を供給可能な電池６３と、外部電源Ｅからの電力の供給が停止した停電状態にあるときに、電池６３の電力で貯蔵室冷却ファン２８を動作させ、冷却装置は動作させない停電運転を行わせる電源リレー４７とを備える。【選択図】図５
2015098968.tif 000002
【特許請求の範囲】
【請求項１】
外部電源から電力が供給される冷却貯蔵庫であって、
前記外部電源から電力の供給を受けて冷気を発生する冷却装置と、
蓄冷剤が収納され前記冷却装置からの冷気が導入される蓄冷剤室と、
前記蓄冷剤室とは異なる位置に設けられ貯蔵物が貯蔵される貯蔵室と、
前記蓄冷剤室の冷気を前記貯蔵室に送出する送出手段と、が具備され、
前記冷却装置が前記蓄冷剤室に収納された蓄冷剤を冷却状態とし、かつ前記蓄冷剤室の冷気を前記貯蔵室に送出して前記貯蔵物を冷却するようにしたものにおいて、
前記外部電源に代わって前記送出手段を動作させる電力を供給可能な電池と、
前記外部電源からの電力の供給が停止した停電状態にあるときに、前記電池の電力で前記送出手段を動作させ、前記冷却装置は動作させない停電運転を行わせる選択駆動手段と、を備える冷却貯蔵庫。
【請求項２】
前記選択駆動手段は、前記外部電源から電力の供給を受けているときには、前記電池からの電力供給を遮断する請求項１に記載の冷却貯蔵庫。
【請求項３】
前記電池は乾電池である請求項１又は請求項２に記載の冷却貯蔵庫。
【請求項４】
前記停電運転に関する情報を報知する報知手段を備える請求項１ないし請求項３のいずれか一項に記載の冷却貯蔵庫。
【請求項５】
ユーザの操作により前記電池による電力の供給を遮断する遮断手段を備えている請求項１ないし請求項４のいずれか一項に記載の冷却貯蔵庫。
【請求項６】
前記遮断手段は、遮断状態の有無を視認可能とされている請求項５に記載の冷却貯蔵庫。
【請求項７】
前記貯蔵室を開閉する開閉扉と、
前記貯蔵室に設けられる庫内灯と、
前記開閉扉の開放を検知する開放検知手段と、を備え、
前記停電状態でないときに前記開放検知手段が前記開閉扉の開放を検知したときには前記庫内灯を点灯させ、前記停電状態のときに前記開放検知手段が前記開閉扉の開放を検知したときには前記庫内灯を点灯させない点灯制御手段とを備える請求項１ないし請求項６のいずれか一項に記載の冷却貯蔵庫。
【発明の詳細な説明】
【技術分野】
【０００１】
本発明は、冷却貯蔵庫に関する。
【背景技術】
【０００２】
蓄冷剤が収容される蓄冷剤室と冷却対象となる貯蔵物が収容される貯蔵室とを備えた冷却貯蔵庫が知られている。この種のものは、冷凍ユニットの動作と停止とを短い間隔で繰り返し行い、冷凍ユニットの冷気を蓄冷剤室及び貯蔵室に送出するようになっている。
【０００３】
特許文献１の蓄冷型保冷庫は、蓄冷剤を冷却する冷却運転時には、蓄冷剤の温度が設定温度以上になるとコンプレッサを動作させて蓄冷剤を冷却し、蓄冷剤の温度が設定温度以下になるとコンプレッサを停止させ、蓄冷剤による冷気で保冷室を冷却するとともに、充電式蓄電池を充電している。一方、輸送時に蓄冷剤の冷気で保冷室を冷却する保冷運転を行う際には、電源コードを電源から抜き取ることで、充電式蓄電池の電力により通気ファンを回転させて蓄冷剤の冷気を保冷室に送って保冷室の内部を冷却している。
【先行技術文献】
【特許文献】
【０００４】
【特許文献１】特開平１−３１８８７３号公報
【発明の概要】
【発明が解決しようとする課題】
【０００５】
ところで、特許文献１の構成では、輸送時に電源コードを電源から抜き取る作業を行って充電式蓄電池により保冷運転を行っているため、運転の切り替えのためにユーザが電源コードを抜き取る作業が必要になる。また、冷却運転中に停電により外部からの電力の供給が遮断される場合も起こりうるが、輸送時とは異なり、停電により電力の供給が遮断された際に、特許文献１の構成では、輸送時と同様の保冷運転が行われるとは限らない。
【０００６】
本発明は上記のような事情に基づいて完成されたものであって、停電状態にあるときに蓄冷剤による貯蔵物の冷却を容易に行うことが可能な冷却貯蔵庫を提供することを目的とする。
【課題を解決するための手段】
【０００７】
本発明は、外部電源から電力が供給される冷却貯蔵庫であって、前記外部電源から電力の供給を受けて冷気を発生する冷却装置と、蓄冷剤が収納され前記冷却装置からの冷気が導入される蓄冷剤室と、前記蓄冷剤室とは異なる位置に設けられ貯蔵物が貯蔵される貯蔵室と、前記蓄冷剤室の冷気を前記貯蔵室に送出する送出手段と、が具備され、前記冷却装置が前記蓄冷剤室に収納された蓄冷剤を冷却状態とし、かつ前記蓄冷剤室の冷気を前記貯蔵室に送出して前記貯蔵物を冷却するようにしたものにおいて、前記外部電源に代わって前記送出手段を動作させる電力を供給可能な電池と、前記外部電源からの電力の供給が停止した停電状態にあるときに、前記電池の電力で前記送出手段を動作させ、前記冷却装置は動作させない停電運転を行わせる選択駆動手段と、を備える。
本構成によれば、外部電源からの電力の供給が停止した停電状態にあるときは、ユーザが作業を行わなくても選択駆動手段により電池の電力で送出手段を動作させ、冷却装置を動作させない停電運転を行うことができるから、停電状態にあるときに蓄冷剤による貯蔵物の冷却を容易に行うことが可能となる。
【０００８】
上記構成の実施態様としては以下の構成を備えることが好ましい。
・前記選択駆動手段は、前記外部電源から電力の供給を受けているときには、前記電池からの電力供給を遮断する。
・前記電池は乾電池である。
・前記停電運転に関する情報を報知する報知手段を備える。
・ユーザの操作により前記電池による電力の供給を遮断する遮断手段を備えている。
・前記遮断手段は、遮断状態の有無を視認可能とされている。
・前記貯蔵室を開閉する開閉扉と、前記貯蔵室に設けられる庫内灯と、前記開閉扉の開放を検知する開放検知手段と、を備え、前記停電状態でないときに前記開放検知手段が前記開閉扉の開放を検知したときには前記庫内灯を点灯させ、前記停電状態のときに前記開放検知手段が前記開閉扉の開放を検知したときには前記庫内灯を点灯させない点灯制御手段とを備える。
【発明の効果】
【０００９】
本発明によれば、停電状態にあるときに蓄冷剤による貯蔵物の冷却を容易に行うことが可能となる。
【図面の簡単な説明】
【００１０】
【図１】実施形態１の冷却貯蔵庫を示す正面図
【図２】図１のＡ−Ａ断面図
【図３】図１のＢ−Ｂ断面図
【図４】操作部を示す正面図
【図５】冷却貯蔵庫の電気的構成を示すラダー回路図
【図６】制御部の入力側と出力側の電気的接続を示す図
【図７】冷却貯蔵庫の動作を示すフローチャート
【図８】冷却貯蔵庫の構成要素の動作を示すタイミングチャート
【図９】実施形態２の冷却貯蔵庫の構成要素の動作を示すタイミングチャート
【発明を実施するための形態】
【００１１】
＜実施形態１＞
以下、実施形態１を図１ないし図８を参照しつつ説明する。以下では、図２の左方を前方、右方を後方として説明する。
冷却貯蔵庫１０は、縦長の箱形をなし、図２に示すように、冷却装置等からなる機械室１１と、蓄冷剤３０が収容される蓄冷剤室２４と、冷却される貯蔵物が収容される貯蔵室３３とを備える。
機械室１１は、冷却貯蔵庫１０の上部に設けられており、冷凍ユニット１２と、冷却器１６と、コントロールボックス３８と、電装箱４６とを備えている。冷凍ユニット１２は、圧縮機１３と凝縮器１４と凝縮器ファン１５とを有する。圧縮機１３と凝縮器１４と冷却器１６とは、冷媒配管により循環接続され、周知の冷凍サイクルを構成している。圧縮機１３と凝縮器１４と凝縮器ファン１５と冷却器１６とは、冷気を発生する冷却装置とされる。機械室１１の下部には、冷却ダクト１７が設けられている。
【００１２】
冷却ダクト１７は、ダクトパネル１８と、冷却器１６と、蓄冷剤室冷却ファン２１とを有する。ダクトパネル１８は、ＡＢＳ等の樹脂からなり、蓄冷剤室２４と機械室１１の間を仕切っており、水平方向に対して傾斜した方向に延びて固定されている。ダクトパネル１８は、蓄冷剤室２４内の空気を通す吸込口１９と、冷気を蓄冷剤室２４に吐き出す吐出口２０とを有する。蓄冷剤室冷却ファン２１は、ダクトパネル１８における吸込口１９の周囲に固定されており、蓄冷剤室冷却ファン２１によって吸込口１９から吸引された空気が冷却器１６で冷却され、吐出口２０から蓄冷剤室２４に吐出される。
【００１３】
基本的な冷却運転は、冷却装置が駆動されることで行われ、空気が冷却器１６を通過する間に熱交換により冷気が生成され、この冷気が蓄冷剤室冷却ファン２１から蓄冷剤室２４に吹き出されて循環流が生じ、蓄冷剤３０を冷却（凍結）させるとともに、蓄冷剤室２４の冷気が貯蔵室冷却ファン２８により、下方の貯蔵室３３に与えられる。本実施形態では、蓄冷剤３０を凍結するために、例えば蓄冷剤室２４内が−１２℃程度まで冷却される。このように、蓄冷剤室２４内温度を低温域まで下げるためには、冷却器１６は相応の低温状態に維持される必要があり、着霜が生じやすいと言える。そのため適宜に霜取運転が行われ、冷却器１６の下面に、シーズヒータからなる除霜ヒータ２２が装着されている。
【００１４】
蓄冷剤室２４は、機械室１１の下方に設けられてその内部に蓄冷剤３０が収容されるものであり、蓄冷剤室２４と貯蔵室３３の間は、ウレタン等からなる断熱壁２５で仕切られている。断熱壁２５は、吸込口２６と吹出口２７を有するとともに、吹出口２７側に貯蔵室冷却ファン２８（「送出手段」の一例）が固定されている。蓄冷剤３０は、低温状態とされて冷気を発生するものであり、蓄冷剤室２４内において蓄冷剤用棚網３１に載置され、上下左右に間隔を空けて複数収容されている。蓄冷剤３０は、ポリエチレン等の合成樹脂製のハードケース内にゲル化剤が充填された公知のものであって、全体としては平面長方形の厚板形状をなしている。蓄冷剤室２４内の冷気は、貯蔵室冷却ファン２８が回転することで、吹出口２７から貯蔵室３３内の背面ダクト２９を通って貯蔵室３３内に吐き出され、吹出口２７とは前後方向の反対側に設けられた吸込口２６から蓄冷剤室２４に戻される。
【００１５】
貯蔵室３３は、図示しない貯蔵物が貯蔵されるものであり、蓄冷剤室２４の下方に設けられた前面開口の縦長の断熱箱体からなり、前面開口部には上下２個の断熱扉３４（「開閉扉」の一例）が幅方向の一端側を軸として回動可能に支持されている。断熱扉３４は、前面開口を閉鎖する閉鎖位置から前面開口を開放する開放位置に回動移動可能とされている。貯蔵室３３の内部には、長方形の隅の位置に４本の棚柱３５が取り付けられている。棚柱３５には、複数の棚網３７が上下方向に一定間隔を開けて棚受金に支持されており、各棚網３７の上方に、貯蔵物を収納する収納スペースを形成している。前面開口部の周縁には、結露防止ヒータ（図示しない）が埋設されている。貯蔵室３３には、例えば、薬品を貯蔵することができ、例えば、＋５℃に維持される。
【００１６】
機械室１１の前面を構成するフロントパネル１１Ａは、上端部を軸として回動可能となっており、このフロントパネル１１Ａを開放すると、図４に示すように、ユーザが操作可能な操作部４１が表れる。操作部４１は、コントロールボックス３８及び電装箱４６の前面に設けられており、コントロールボックス３８には、操作用基板及び制御回路３９が収容されている。電装箱４６には、回路基板に実装されたリレーやブザー５３（図６参照）等が収容されている。
操作部４１は、コントロールボックス３８の前面に設けられたコントロールパネル４０と、電装箱４６の前面におけるコントロールボックス３８よりも上方に設けられ、前方から操作可能とされた電源スイッチ４８（漏電遮断器）及び運転スイッチ４９（「遮断手段」の一例）とを有する。コントロールパネル４０は、設定部４１Ａと、表示部４６Ａ，４６Ｂ（「報知手段」の一例）とを備える。設定部４１Ａは、前面枠ヒータボタン４２と、リセットボタン４３と、手動霜取ボタン４４とを有する。
【００１７】
前面枠ヒータボタン４２は、前面枠ヒータの強弱に応じて点灯と消灯を切り替える。リセットボタン４３は、エラー表示の解除や、ブザー音の解除を行う。手動霜取ボタン４４は、ユーザが任意のタイミングで霜取りを行う際に用いる。コントロールパネル４０の底面には、蓄冷剤冷却スイッチ４５が設けられている。  蓄冷剤冷却スイッチ４５は、下方に突出した側を押圧することにより、ユーザが任意のタイミングで、冷却装置により蓄冷剤３０及び貯蔵物を冷却する冷却運転と、冷却装置を停止させて蓄冷剤３０による貯蔵物の冷却を行う停電運転とを切り替えられる。この蓄冷剤冷却スイッチ４５によれば、後述する停電運転を停電時以外にも行うことができる。
表示部４６Ａは、停電運転表示（又は停電状態であることの表示）、霜取表示等が行われ、表示部４６Ｂは、貯蔵室温度表示が行われる。なお、表示部４６Ａ，４６Ｂは、フロントパネル１１Ａを貫通する開口部１１Ｂ（図１参照）の位置に配されてフロントパネル１１Ａを閉じた状態でも外部から視認可能とされている。
【００１８】
冷却運転時には、制御部３９Ａは、冷凍ユニット１２（圧縮機１３及び凝縮器ファン１５）及び貯蔵室冷却ファン２８をオンオフを繰り返すように制御して駆動させる。また、表示部４６Ｂには貯蔵室温度表示がされる。一方、停電運転時には、制御部３９Ａは、冷凍ユニット１２（圧縮機１３及び凝縮器ファン１５）は駆動せず、貯蔵室冷却ファン２８をオンさせる。この停電運転では、表示部４６Ｂに貯蔵室温度表示がされ、表示部４６Ａに停電運転が行われていることを示す停電運転表示がされる。
運転スイッチ４９は、冷却貯蔵庫１０内に設けられた電池６３からの電力供給を遮断可能になっており、外部電源Ｅの遮断時に運転スイッチ４９をオフすると、電池６３からの電力の供給が遮断され、貯蔵室冷却ファン２８や表示部４６Ａ，４６Ｂの表示が停止される。なお、運転スイッチ４９がオフの状態では、外部電源Ｅの供給可能時でも、貯蔵室冷却ファン２８の動作や表示部４６Ａ，４６Ｂの表示等を停止する。運転スイッチ４９は、オンオフのいずれの状態（例えば、運転スイッチ４９のオンとオフの位置の相違等）が視認できるようになっている。
【００１９】
次に、冷却貯蔵庫１０の電気的構成について説明する。
図５に示すように、冷却貯蔵庫１０は、外部電源Ｅ（商用電源）に、電源スイッチ４８（漏電遮断器）を介して電源リレー４７のコイル４７Ａ、制御回路３９、圧縮機１３、及び、除霜ヒータ２２が並列に接続されている。圧縮機１３には、凝縮器ファン１５が並列に接続されている。制御回路３９は、貯蔵室冷却ファン２８に接続されている。また、貯蔵室冷却ファン２８、圧縮機１３（及び凝縮器ファン１５）、除霜ヒータ２２には、それぞれを通断電するためのリレー６０，６１，６２の接点部６０Ｂ，６１Ｂ，６２Ｂが直列に接続されている。接点部６０Ｂ，６１Ｂ，６２Ｂは、共に制御回路３９に接続されたリレー６０，６１，６２のコイル６０Ａ，６１Ａ，６２Ａの制御回路３９からの通断電によりオンオフされる。
【００２０】
なお、外部電源Ｅから圧縮機１３，制御回路３９，及び除霜ヒータ２２には、単相交流の１００［Ｖ］が供給され、制御回路３９では更に図示しない整流回路で直流に変換された電流が供給されて貯蔵室冷却ファン２８を駆動している。制御回路３９（制御基板）は、回路基板と、この回路基板に実装された複数の電子部品とから構成されている。
【００２１】
ここで、制御回路３９及び貯蔵室冷却ファン２８には、停電時に電力を供給するための停電用回路６４が接続されている。停電用回路６４は、電源リレー４７の接点部４７Ｂと運転スイッチ４９と電池６３とが導電路によって直列に接続されており、電池６３の電力は制御回路３９に供給されて表示部４６Ａ，４６Ｂ等を動作可能とするとともに貯蔵室冷却ファン２８を駆動可能となっている。
運転スイッチ４９はオンされることで通電可能となり、オフされることで通電が遮断される。制御回路３９は、電池６３の電力を受けて機械室１１内に配されたブザー５３やコントロールパネル４０の表示部４６Ａ，４６Ｂを動作させている。運転スイッチ４９のオンオフの信号は制御回路３９に与えられており、運転スイッチ４９がオフされていれば外部電源Ｅから電力を供給可能な状態であっても表示部４６Ａ，４６Ｂや庫内灯５１やブザー５３や等はオフされる。一方、停電時には、運転スイッチ４９がオフされていると、電池６３の電力が供給されない。電池６３は、乾電池が用いられており、複数直列に接続されている。
電源リレー４７は、ノーマリクローズが用いられており、コイル４７Ａに通電していないときには接点部４７Ｂが閉じ、コイル４７Ａに通電しているときには接点部４７Ｂが開放される。これにより、外部電源Ｅからの電力の供給が停止しているときには、電源リレー４７の接点部４７Ｂが通電し、電池６３の電力が制御回路３９や貯蔵室冷却ファン２８に与えられ、貯蔵室冷却ファン２８や表示部４６Ａ，４６Ｂを動作させ、冷却装置は動作させない。したがって、電源リレー４７が「選択駆動手段」の一例となる。
なお、電源リレー４７の接点部４７Ｂは、電池６３に直列な導電路の複数個所に設けられている。また、制御回路３９と貯蔵室冷却ファン２８との間の導電路には、制御回路３９から貯蔵室冷却ファン２８に向かう方向を順方向とするダイオードＤ１，Ｄ２が配されている。
【００２２】
制御回路３９は、所定のプログラムを実行するマイクロコンピュータ等からなる制御部３９Ａを有する。制御部３９Ａには、図６に示すように、入力側に設定部４１Ａ，運転スイッチ４９，扉開閉センサ５６，貯蔵室庫内サーミスタ５０等が接続されている。出力側には、圧縮機１３，凝縮器ファン１５，貯蔵室冷却ファン２８，除霜ヒータ２２，表示部４６Ａ，４６Ｂ，庫内灯５１，ドレン蒸発装置５２，ブザー５３等が接続されている。
【００２３】
制御部３９Ａは、冷却装置制御部５４と、霜取制御部５５と、記憶部５７とを有する。冷却装置制御部５４は、冷却装置の運転を制御する。冷却運転では、冷却装置制御部５４によって、圧縮機１３と凝縮器ファン１５と貯蔵室冷却ファン２８が制御され、設定温度近傍に貯蔵室３３内の温度が維持される。霜取制御部５５は、除霜ヒータ２２のオンオフを制御している。
【００２４】
次に、冷却貯蔵庫１０の動作について説明する。
図７，８に示すように、電源スイッチ４８がオンされた状態で（Ｓ１で「Ｙ」）、停電でなく外部電源Ｅから電力供給され（Ｓ２で「Ｎ」）、かつ、運転スイッチ４９がオンされていれば（Ｓ３で「Ｙ」）、冷却運転が行われる（Ｓ４）
冷却運転では、制御部３９Ａが、冷凍ユニット１２（圧縮機１３及び凝縮器ファン１５）を駆動させるとともに、貯蔵室冷却ファン２８をオンオフを制御する。また、表示部４６Ｂには貯蔵室温度表示がされる。このとき、電源リレー４７のコイル４７Ａが通電し、電源リレー４７の接点部４７Ｂは開放されているため、電池６３から電力は供給されず、外部電源Ｅの電力のみで駆動する。
【００２５】
Ｓ３で運転スイッチ４９がオフされていると、冷却運転が行われない（Ｓ７）具体的には、制御部３９Ａにより、冷凍ユニット１２（圧縮機１３及び凝縮器ファン１５）及び貯蔵室冷却ファン２８は駆動されず、表示部４６Ａ、４６Ｂの表示はされず、ブザー音も発生しない。
Ｓ２で停電により外部電源Ｅからの電力供給が遮断されており（Ｓ２で「Ｙ」）、かつ、運転スイッチ４９がオンされていれば（Ｓ５で「Ｙ」）、停電運転が行われる（Ｓ６）。
【００２６】
停電運転では、電池６３の電力で、貯蔵室冷却ファン２８が駆動し、表示部４６Ａに停電運転表示がされ、表示部４６Ｂに貯蔵室温度表示がされ、機械室１１のブザー５３（「報知手段」の一例）のブザー音の発生の動作が所定時間行われる。このとき、電源リレー４７のコイル４７Ａの通電が遮断され、電源リレー４７の接点部４７Ｂは閉じているため、電池６３から電力が供給され、電池６３の電力で駆動する。
一方、運転スイッチ４９がオフされていると、停電運転が行われない（Ｓ７）具体的には、停電用回路６４の通電が運転スイッチ４９で遮断されるため、冷凍ユニット１２（圧縮機１３及び凝縮器ファン１５）が駆動しないだけでなく、貯蔵室冷却ファン２８も駆動されず、表示部４６Ａ、４６Ｂの表示はされず、ブザー音も発生しない。
【００２７】
本実施形態によれば、以下の作用・効果を奏する。
冷却貯蔵庫１０は、外部電源Ｅから電力の供給を受けて冷気を発生する冷却装置と、蓄冷剤３０が収納され冷却装置からの冷気が導入される蓄冷剤室２４と、蓄冷剤室２４とは異なる位置に設けられ貯蔵物が貯蔵される貯蔵室３３と、蓄冷剤室２４の冷気を貯蔵室３３に送出する貯蔵室冷却ファン２８（送出手段）と、が具備され、冷却装置が蓄冷剤室２４に収納された蓄冷剤３０を冷却状態とし、かつ蓄冷剤室２４の冷気を貯蔵室３３に送出して貯蔵物を冷却するようにしたものにおいて、外部電源Ｅに代わって貯蔵室冷却ファン２８を動作させる電力を供給可能な電池６３と、外部電源Ｅからの電力の供給が停止した停電状態にあるときに、電池６３の電力で貯蔵室冷却ファン２８を動作させ、冷却装置は動作させない停電運転を行わせる電源リレー４７（選択駆動手段）とを備える。
本実施形態によれば、外部電源Ｅからの電力の供給が停止した停電状態にあるときは、ユーザが作業を行わなくても電源リレー４７により電池６３の電力で貯蔵室冷却ファン２８（送出手段）を動作させ、冷却装置を動作させない停電運転を行うことができるから、停電状態にあるときに蓄冷剤３０による貯蔵物の冷却を容易に行うことが可能となる。また、停電状態では電池６３の電力は冷却装置には供給されないため、停電状態で電池６３の電力が不足することを抑制できる。
【００２８】
また、電源リレー４７（選択駆動手段）は、外部電源Ｅから電力の供給を受けているときには、電池６３からの電力供給（電力供給経路）を遮断する。
このようにすれば、外部電源Ｅから電力の供給を受けているときも電池６３が通電される場合と比較して電池６３の劣化等を防止できる。また、停電時以外に電池６３の電力が使用されて停電時における電力の不足を回避できる。
【００２９】
さらに、電池６３は乾電池であるため、交換が容易となる。
また、停電運転に関する情報を報知する表示部４６Ａ、４６Ｂ、ブザー５３（報知手段）を備える。停電運転に関する情報としては、停電運転中に表示部４６Ａによる停電運転表示を行うこと及び停電開始から所定時間ブザー５３による音によって、ユーザが停電運転に関する情報を認識することができる。これにより、冷却運転か停電運転かをユーザに知らせることができる。また、停電時でも貯蔵室３３の庫内温度を表示することで貯蔵室３３の温度管理が可能になる。停電運転の終了時は、表示部４６Ａによる停電運転表示が消えることで、停電（運転）が終了して、蓄冷剤３０が解凍したことをユーザに知らせることができる。
また、ユーザの操作により電池６３による電力の供給を遮断する運転スイッチ４９（遮断手段）を備えている。このようにすれば、外部電源Ｅの供給が遮断された場合以外の例えば冷却貯蔵庫１０の輸送時や保管時等に電力の供給を遮断すれば、電池６３の消耗を抑制することができる。
【００３０】
さらに、運転スイッチ４９（遮断手段）は、遮断状態の有無を視認可能とされているため、ユーザが運転可能か否かを認識することができる。
冷却運転時には、冷却器１６に霜が付着して貯蔵室３３内の除湿ができたが、停電運転時における冷凍ユニット１２のオフ時には、冷却装置の温度の高い冷媒が冷却器１６に流れ込んで冷却器１６が貯蔵室３３の温度よりも上昇するため、特に周囲温度が低く冷凍ユニット１２のオフ時間が長い場合に貯蔵物が結露したり、貯蔵室３３内が結露するという問題があった。本実施形態によれば、停電運転では、貯蔵室冷却ファン２８（送出手段）のみを駆動して貯蔵室３３内の冷気を循環させることで、外部電源Ｅから電力の供給を受ける場合と同様に貯蔵室３３内を長時間所定温度に維持することができて、蓄冷剤３０の温度が貯蔵室３３内の温度よりも低くなるため、蓄冷剤３０の表面に結露が発生することで、貯蔵室３３内の湿度を低減することができる。
【００３１】
＜実施形態２＞
次に、実施形態２を図９を参照しつつ説明する。実施形態２は、停電運転の終了を報知するとともに、停電運転時には断熱扉３４を開放しても庫内灯５１を点灯させない構成である。他の構成は、実施形態１と同様であり、実施形態１と同一の構成は、説明を省略する。
実施形態２では、図９に示すように、所定時間（最大停電対応時間）が経過するとき、停電運転の終了前にブザー５３を所定時間鳴らせて停電運転の終了を報知する。また、停電運転の終了により、表示部４６Ａ、４６Ｂの停電表示及び貯蔵室温度表示を消灯する。なお、貯蔵室３３内の温度上昇を避けるため、停電復帰するまでは、貯蔵室冷却ファン２８は駆動する。
また、貯蔵室３３を開閉する断熱扉３４（開閉扉）と、貯蔵室３３に設けられる庫内灯５１と、断熱扉３４の開放を検知する扉開閉センサ５６（リードスイッチ。「開放検知手段」）と、を備えており、停電状態でないときは、扉開閉センサ５６が上下の断熱扉３４の一方、又は、双方の開放を検知すると、制御部３９Ａは、庫内灯５１を点灯させる。
一方、停電状態のときに扉開閉センサ５６が上下の断熱扉３４の一方、又は、双方の開放を検知すると、制御部３９Ａ（「点灯制御手段」の一例）は、庫内灯５１を点灯させない。
このようにすれば、停電時に庫内灯５１を点灯させないことができるため、停電時における電池６３の消耗を抑制することができ、乾電池の交換頻度を減らすことができる。また、庫内灯５１による発熱をなくすことにより、貯蔵室３３内の温度上昇を抑制することができる。
【００３２】
＜他の実施形態＞
本発明は上記記述及び図面によって説明した実施形態に限定されるものではなく、例えば次のような実施形態も本発明の技術的範囲に含まれる。
（１）貯蔵室冷却ファン（送出手段）を駆動させる電池は、上記実施形態の電池６３に限らず、種々の公知の電池を用いることができる。例えば、規格化された一次電池としての種々の乾電池に限られず、二次電池としての乾電池を予め充電して用いてもよい。
（２）上記実施形態では、外部電源Ｅから電力が供給されているとき（停電状態でないとき）に運転スイッチ４９がオフされると、制御部３９Ａが貯蔵室冷却ファン２８や表示部４６Ａ，４６Ｂ等をオフする構成としたが、これに限られず、例えば、運転スイッチ４９がオフされると外部電源Ｅから表示部４６Ａ，４６Ｂ等に至る電力供給経路の導電路が遮断される構成とし、制御部３９Ａによらずに貯蔵室冷却ファン２８や表示部４６Ａ，４６Ｂ等に電力が供給されない回路構成として運転スイッチ４９のオフ時に貯蔵室冷却ファン２８や表示部４６Ａ，４６Ｂ等をオフするようにしてもよい。
（３）実施形態２では、停電時には庫内灯５１を点灯させないようにしたが、停電時に庫内灯５１を点灯させるようにしてもよい。
【符号の説明】
【００３３】
１０：冷却貯蔵庫，１２：冷凍ユニット，１３：圧縮機，１４：凝縮器，１５：凝縮器ファン，１６：冷却器，２１：蓄冷剤室冷却ファン，２２：除霜ヒータ，２４：蓄冷剤室，２８：貯蔵室冷却ファン（送出手段），３０：蓄冷剤，３３：貯蔵室，３４：断熱扉（開閉扉），３９：制御回路，３９Ａ：制御部（点灯制御手段），４０：コントロールパネル，４１：操作部，４６Ａ，４６Ｂ：表示部（報知手段），４７：電源リレー（選択駆動手段），４８：電源スイッチ，４９：運転スイッチ（遮断手段），５０：貯蔵室庫内サーミスタ，５１：庫内灯，５３：ブザー（報知手段），５６：扉開閉センサ（開放検知手段），６３：電池，Ｅ：電源
【図１】
2015098968.tif 000003
【図２】
2015098968.tif 000004
【図３】
2015098968.tif 000005
【図４】
2015098968.tif 000006
【図５】
2015098968.tif 000007
【図６】
2015098968.tif 000008
【図７】
2015098968.tif 000009
【図８】
2015098968.tif 000010
【図９】
2015098968.tif 000011